(57)【要約】【課題】簡単な構造で土管をはじめとする一定長さのパイプをスムーズに連続して敷設することができるパイプ敷設装置を提供する。【解決手段】トレンチャー１２で掘削したパイプ敷設溝１４の底部にパイプ（土管１５）を敷設するパイプ敷設装置１１であって、上方に向かって開口したパイプ投入口１６と、進行方向後方に向かって開口したパイプ排出口１７と、パイプ投入口とパイプ排出口との間の円弧状のガイドパイプ１８と、パイプ投入口から投入された土管のガイドパイプ内での落下速度を調節するパイプ落下速度調節手段２１とを備えている。【選択図】図１
0003179579.tif 000002
【実用新案登録請求の範囲】
【請求項１】
トレンチャーによって掘削したパイプ敷設溝の底部に複数のパイプを連続して敷設するパイプ敷設装置において、前記パイプ敷設溝の上部で上方に向かって開口したパイプ投入口と、前記パイプ敷設溝の底部で前記トレンチャーの進行方向後方に向かって開口したパイプ排出口と、前記パイプ投入口と前記パイプ排出口との間に位置する少なくとも一部が円弧状に形成されたガイドパイプと、前記パイプ投入口から投入されたパイプのガイドパイプ内での落下速度を調節するパイプ落下速度調節手段とを備えていることを特徴とするパイプ敷設装置。
【請求項２】
前記パイプ投入口の上部に、ガイドパイプ内に投入するパイプをパイプ投入口内にガイドする投入ガイド部が設けられていることを特徴とする請求項１記載のパイプ敷設装置。
【請求項３】
前記パイプ排出口の下部に、該パイプ排出口から外部に突出するガイドシートが設けられていることを特徴とする請求項１又は２記載のパイプ敷設装置。
【請求項４】
前記パイプ排出口の下面に、前記パイプ敷設溝の底面中央部にパイプの転動を防止するための転動防止溝を形成する溝形成部が設けられていることを特徴とする請求項１乃至３のいずれか１項記載のパイプ敷設装置。
【請求項５】
前記パイプ排出口の下部に、該パイプ排出口から排出されるパイプを前記転動防止溝にガイドする排出ガイド部が設けられていることを特徴とする請求項４記載のパイプ敷設装置。
【請求項６】
前記パイプ排出口の前記トレンチャーの進行方向前方に位置するガイドパイプの下面に、前記パイプ敷設溝の底部を平滑化するためのスクレーパが設けられていることを特徴とする請求項１乃至５のいずれか１項記載のパイプ敷設装置。
【請求項７】
前記パイプ落下速度調節手段は、一端がガイドパイプに連結された袋状部材で形成され、該袋状部材の他端は、該袋状部材の内部に空気を供給するブロワの吹出口に接続されていることを特徴とする請求項１乃至６のいずれか１項記載のパイプ敷設装置。
【請求項８】
前記ガイドパイプは、前記トレンチャーの掘削部の後部に前記パイプ排出口が上下方向に揺動可能な状態で連結されていることを特徴とする請求項１乃至７のいずれか１項記載のパイプ敷設装置。
【考案の詳細な説明】
【技術分野】
【０００１】
本考案は、パイプ敷設装置に関し、詳しくは、トレンチャーによって掘削したパイプ敷設溝の底部に複数のパイプを連続して敷設するパイプ敷設装置に関する。
【背景技術】
【０００２】
圃場の地中に暗渠管を埋設して圃場からの排水を行ったり、圃場の地下水位を調節することが行われている。暗渠管として土管を使用する場合は、あらかじめトレンチャーによって掘削したパイプ敷設溝の底部に、一定長さの土管を連続して敷設する必要があるため、従来から各種構造の土管敷設装置が用いられてきている（例えば、特許文献１乃至４参照。）。
【先行技術文献】
【特許文献】
【０００３】
【特許文献１】特開平９−４１３５３号公報
【特許文献２】特開２０００−３５５９２６号公報
【特許文献３】特開２００３−２１３６６０号公報
【特許文献４】特開２００９−２９１５２６号公報
【考案の概要】
【考案が解決しようとする課題】
【０００４】
しかし、従来の土管敷設装置は、構造が複雑で高価なものであったり、土管に無理な力が作用して土管が破損したり、土管の投入作業が面倒であったりするという問題があった。
【０００５】
そこで本考案は、簡単な構造で土管をはじめとする一定長さのパイプをスムーズに連続して敷設することができるパイプ敷設装置を提供することを目的としている。
【課題を解決するための手段】
【０００６】
上記目的を達成するため、本考案のパイプ敷設装置は、トレンチャーによって掘削したパイプ敷設溝の底部に複数のパイプを連続して敷設するパイプ敷設装置において、前記パイプ敷設溝の上部で上方に向かって開口したパイプ投入口と、前記パイプ敷設溝の底部で前記トレンチャーの進行方向後方に向かって開口したパイプ排出口と、前記パイプ投入口と前記パイプ排出口との間に位置する少なくとも一部が円弧状に形成されたガイドパイプと、前記パイプ投入口から投入されたパイプのガイドパイプ内での落下速度を調節するパイプ落下速度調節手段とを備えていることを特徴としている。
【０００７】
さらに、  本考案のパイプ敷設装置は、前記パイプ投入口の上部にガイドパイプ内に投入するパイプをパイプ投入口内にガイドする投入ガイド部が設けられていること、前記パイプ排出口の下部に該パイプ排出口から外部に突出するガイドシートが設けられていること、前記パイプ排出口の下面に前記パイプ敷設溝の底面中央部にパイプの転動を防止するための転動防止溝を形成する溝形成部が設けられていること、前記パイプ排出口の下部に該パイプ排出口から排出されるパイプを前記転動防止溝にガイドする排出ガイド部が設けられていること、前記パイプ排出口の前記トレンチャーの進行方向前方に位置するガイドパイプの下面に前記パイプ敷設溝の底部を平滑化するためのスクレーパが設けられていること、前記パイプ落下速度調節手段は、一端がガイドパイプに連結された袋状部材で形成され、該袋状部材の他端は、該袋状部材の内部に空気を供給するブロワの吹出口に接続されていること、前記ガイドパイプは前記トレンチャーの掘削部の後部に前記パイプ排出口が上下方向に揺動可能な状態で連結されていることを特徴としている。
【考案の効果】
【０００８】
本考案のパイプ敷設装置によれば、ガイドパイプの上端に設けたパイプ投入口にトレンチャーの進行速度に合わせてパイプを投入するだけで、パイプ敷設溝の底面に連続してパイプを敷設することができる。また、簡単な構造であることから、安価に製造することができる。さらに、パイプ投入口の上部に投入ガイド部を設けることにより、ガイドパイプ内へのパイプの投入を容易かつ確実に行うことができる。また、パイプ排出口から外部に突出するガイドシートを設けることにより、パイプを連続して円滑に排出することができ、パイプ端面への土砂の付着も防止できる。さらに、パイプ敷設溝の底面中央部に転動防止溝を形成することにより、加えて、パイプ排出口の下部に排出ガイド部を設けることにより、パイプを一直線状に並べた状態で確実に敷設することができる。また、パイプ排出口の進行方向前方にスクレーパを設けることにより、パイプ敷設溝に落下している小石などをパイプ敷設位置から排除することができる。さらに、パイプ落下速度調節手段を袋状部材とブロワとで形成することにより、簡単な構造でパイプが急速に落下して破損したりすることを防止できる。また、パイプ排出口を上下方向に揺動可能に形成することにより、パイプ排出口をパイプ敷設溝の底面に沿った状態に確実に位置させることができる。
【図面の簡単な説明】
【０００９】
【図１】本考案のパイプ敷設装置の一形態例を示す側面図である。
【図２】ガイドパイプの上端部付近を示す要部断面図である。
【図３】ガイドパイプの下端部付近を示す要部断面図である。
【図４】図２のIV−IV断面図である。
【図５】図２のＶ−Ｖ断面図である。
【図６】図３のVI−VI断面図である。
【図７】図３のVII−VII断面図である。
【図８】図３のVIII−VIII断面図である。
【図９】図３のIX−IX矢視図である。
【考案を実施するための形態】
【００１０】
図１乃至図９は、パイプとしての土管を敷設する状態の一形態例を示している。パイプ敷設装置１１は、トレンチャー１２の後部に設けられている掘削部１３の後方に連結されるもので、前記掘削部１３で掘削したパイプ敷設溝１４の底部に一定長さの土管１５を連続して敷設するように形成されている。このパイプ敷設装置１１は、前記パイプ敷設溝１４の上部で上方に向かって開口したパイプ投入口１６と、前記パイプ敷設溝１４の底部で前記トレンチャー１２の進行方向後方に向かって開口したパイプ排出口１７と、前記パイプ投入口１６と前記パイプ排出口１７との間に位置する下半部が円弧状に形成されたガイドパイプ１８とを備えている。さらに、ガイドパイプ１８には、前記パイプ排出口１７の下部側から外部に突出したガイドシート１９と、パイプ投入口１６の上部に設けられた投入ガイド部２０と、ガイドパイプ１８の内部に設けられたパイプ落下速度調節手段２１と、パイプ排出口１７の下面に設けられた転動防止溝形成部２２と、パイプ排出口１７の前方に位置するガイドパイプ１８の下面に設けられたスクレーパ２３とを備えている。
【００１１】
ガイドパイプ１８は、土管１５が下方に向かって滑り落ちることが可能な内面寸法を有するとともに、パイプ敷設溝１４の幅寸法に対応した外面幅寸法を有する角筒状に形成されている。このガイドパイプ１８は、該ガイドパイプ１８の下部前方に突出した連結部材１８ａを、トレンチャー１２の下部後方に突出した連結部材１２ａに、着脱可能な１本の連結ピン２４で連結することにより、連結ピン２４を中心にして上下方向に揺動可能な状態、すなわち、パイプ排出口１７が上下動可能な状態で設けられている。
【００１２】
また、ガイドパイプ１８の円弧の内周側に位置する面の内側には、パイプ落下速度調節手段２１となる合成樹脂製の柔軟な袋状部材が設けられている。このパイプ落下速度調節手段２１は、袋状部材の下端側２１ａを適宜な固定手段で前記パイプ排出口１７の近傍に連結し、ガイドパイプ１８の外部に取り出した上端側２１ｂを、適宜なステーで保持したブロワ２５の吹出口に接続している。このパイプ落下速度調節手段２１は、ブロワ２５を作動させて袋状部材の内部に適度な量の空気を供給することにより、袋状部材が膨らんで土管１５の落下速度を調節することができ、土管１５が急激に落下して破損することを防止できる。また、袋状部材の内部に最大量の空気を供給することにより、土管１５をガイドパイプ１８内で保持しておくこともできる。
【００１３】
前記ガイドシート１９は、パイプ排出口１７の下面と前記スクレーパ２３の取付板２３ａとの間に挟まれた状態で取り付けられており、パイプ敷設溝１４の幅寸法に対応した幅寸法で、パイプ排出口１７の後方に向かって土管１５の１本分の長さ程度突出する長さを有している。このガイドシート１９は、ガイドパイプ１８の内面に比べて低摩擦係数の材料、例えば、一般的な塩化ビニルなどの合成樹脂製シートで形成されている。このようなガイドシート１９を設けることにより、パイプ排出口１７から排出される土管１５をパイプ敷設溝１４の底部に円滑に送り出すことができるとともに、パイプ敷設溝１４の底面の土砂が土管１５の端面に付着することを確実に防止できる。
【００１４】
投入ガイド部２０は、後方が拡開した略Ｖ字形状を有するガイド部材２０ａをパイプ投入口１６の上端縁に配置することで形成され、投入ガイド部２０の地面からの高さは、土管投入作業を行う作業者の腰の位置に対応した高さ付近に設定されている。この投入ガイド部２０は、ガイド部材２０ａにおけるＶ字形状の両内面に土管１５の外周面をそれぞれ当接させることにより、土管１５の下端がパイプ投入口１６の開口に対応した位置となるように設定されている。これにより、パイプ投入口１６からガイドパイプ１８内への土管１５の投入を容易かつ確実に行うことができる。また、投入ガイド部２０は、トレンチャー１２の上部後方に突出した一対の振止部材２６，２６で挟持することにより、土管１５の投入作業の障害となる投入ガイド部２０の横揺れを防止するようにしている。
【００１５】
前記スクレーパ２３は、前記取付板２３ａの下面に、ガイドパイプ１８の下面の形状に合わせて形成した２枚の金属板２３ｂ，２３ｂをトレンチャー１２の進行方向前方に向かって先鋭化するように組み合わせて形成されている。このようなスクレーパ２３をパイプ敷設溝１４の底部に沿って前進させることにより、掘削部１３で掘削したパイプ敷設溝１４の底部に残る小石などを壁際に寄せたり、土管１５の下面が接地する部分を平滑化したりすることができる。さらに、このスクレーパ２３の下面からパイプ排出口１７の下面にわたって、パイプ敷設溝１４の溝幅より幅が狭い転動防止溝２７をパイプ敷設溝１４の幅方向中央に形成するための適宜な厚さの板材からなる前記転動防止溝形成部２２が設けられている。この転動防止溝形成部２２で形成される転動防止溝２７は、該転動防止溝２７の開口縁で土管１５が溝幅方向に転動しないように支持するためのものであって、パイプ排出口１７から排出される土管１５を転動防止溝２７の開口縁で支持することにより、土管１５がパイプ敷設溝１４の底面上を転動することを防止でき、土管１５を一直線状に並べた状態に確実に敷設することができる。
【００１６】
また、前記パイプ排出口１７の下部には、該パイプ排出口１７から排出される土管１５を転動防止溝２７に対応する位置にガイドするための排出ガイド部１７ａが設けられている。この排出ガイド部１７ａは、パイプ排出口１７の近傍におけるガイドパイプ１８の下部側両角部が徐々にＶ字状になるように変形させたものあって、このような排出ガイド部１７ａをパイプ排出口１７の下部に設けることにより、パイプ排出口１７から排出される土管１５をパイプ敷設溝１４の幅方向中央にガイドでき、土管１５を転動防止溝２７の位置に確実に排出することができる。さらに、パイプ排出口１７の後方上部には、ガイドパイプ１８の上部を後方に延出した覆い部１７ｂが設けられており、パイプ敷設溝１４の上部から土砂などが落下して土管１５の端面部分に付着することを防止している。
【００１７】
このように構成したパイプ敷設装置１１は、掘削部１３を作動させながらトレンチャー１２を所定の速度で前進させるとともに、土管１５をパイプ投入口１６からガイドパイプ１８内に投入することにより、トレンチャー１２の掘削部１３で掘削したパイプ敷設溝１４の底部にパイプ排出口１７から土管１５を連続して排出し、土管１５の端面同士を当接させた状態でパイプ敷設溝１４の底部に敷設していくことができる。
【００１８】
さらに、ガイドシート１９をパイプ排出口１７の下部から後方に突出させておくことにより、パイプ排出口１７から排出される土管１５を、ガイドシート１９の上を滑らせて先行する土管１５に続けて排出できるとともに、パイプ敷設溝１４の底部の土砂との接触を防止できるので、前後の土管の端面同士をより確実に当接させることができる。
【００１９】
また、パイプ投入口１６の上部に投入ガイド部２０を設けておくことにより、ガイドパイプ１８内に土管１５を容易に投入することができるので、土管投入作業の作業性を大幅に向上させることができる。さらに、パイプ落下速度調節手段２１を設けておくことにより、土管１５が急速に落下して破損するのを防止できるとともに、土管敷設作業の前後でガイドパイプ１８内に土管１５を保持しておくことができるので、土管敷設作業の開始及び終了を容易に行うことができる。また、スクレーパ２３を設けておくことにより、掘削後のパイプ敷設溝１４の下面に小石などが落下した場合でも、土管１５を敷設する溝下面中央から排除することができるので、小石などによって土管１５が傾いて軸線がずれることを防止できる。
【００２０】
さらに、パイプ敷設溝１４の底面に転動防止溝２７を形成し、パイプ排出口１７の下部に排出ガイド部１７ａを設けておくことにより、パイプ排出口１７から排出された土管がパイプ敷設溝１４の底面幅方向に転動することを防止することができ、土管１５を一直線状に並べた状態にすることができる。また、連結ピン２４を中心にしてガイドパイプ１８を揺動可能に形成することにより、パイプ排出口１７をパイプ敷設溝１４の下面に沿った状態に確実に配置することができ、パイプ排出口１７から排出される土管１５をパイプ敷設溝１４の底部にスムーズに排出させることができ、土管１５の端面同士に隙間が発生することを、より確実に防止できる。
【００２１】
なお、パイプ敷設装置とトレンチャーとの連結は、トレンチャーの構造に応じて適宜な連結構造を採用することができる。ガイドパイプは、パイプ投入口から投入した土管などのパイプを、パイプ排出口から水平方向に排出することができれば任意の形状で形成することができ、断面を円形や多角形状にすることもでき、長さ方向全体を円弧状に形成することもできる。さらに、パイプ排出口の下部側が幅狭になった卵形管を使用することにより、排出ガイド部を兼用することも可能である。また、ガイドパイプを長さ方向に複数に分割することもでき、円弧状の外周側と内周側とを分割可能に形成することもできる。
【００２２】
パイプ投入口は、軸線が鉛直方向に対して傾いていてもよく、パイプ投入口の端面を斜めにカットしておくこともできる。投入ガイド部は、投入するパイプをパイプ投入口にガイドできれば、Ｖ字状以外の円弧状などの任意の形状で形成することができ、上部側がロート状に開いていてもよい。また、パイプ落下速度調節手段は、ガイドパイプの形状や構造、敷設するパイプの重量などの各種条件に応じて任意の機構を採用することができ、塩ビ管のように軽量なパイプの場合は、パイプ排出口に向かってパイプを送る機構を採用することもできる。
【符号の説明】
【００２３】
１１…パイプ敷設装置、１２…トレンチャー、１２ａ…連結部材、１３…掘削部、１４…パイプ敷設溝、１５…土管、１６…パイプ投入口、１７…パイプ排出口、１７ａ…排出ガイド部、１７ｂ…覆い部、１８…ガイドパイプ、１８ａ…連結部材、１９…ガイドシート、２０…投入ガイド部、２０ａ…ガイド部材、２１…パイプ落下速度調節手段、２１ａ…下端側、２１ｂ…上端側、２２…転動防止溝形成部、２３…スクレーパ、２３ａ…取付板、２３ｂ…金属板、２４…連結ピン、２５…ブロワ、２６…振止部材、２７…転動防止溝
【図１】
0003179579.tif 000003
【図２】
0003179579.tif 000004
【図３】
0003179579.tif 000005
【図４】
0003179579.tif 000006
【図５】
0003179579.tif 000007
【図６】
0003179579.tif 000008
【図７】
0003179579.tif 000009
【図８】
0003179579.tif 000010
【図９】
0003179579.tif 000011